(57)【要約】【課題】血圧の測定精度を向上できること。【解決手段】手首の拍動部側に合致する湾曲面形状に形成され、且つ外側にマウント部２２を備えたカフスプリング１３と、このカフスプリング１３を芯材として内包し、内側に空気袋１９が配設されると共に、手首に巻き付けられるカフ帯１２と、カフスプリング１３のマウント部２２に取り付けられ、空気袋１９へ空気を送給する加圧ポンプを備えた血圧計本体１１と、を有し、カフスプリング１３には、その軸方向の任意の位置に周方向に延びるスリット２８が形成され、カフスプリング１３の軸方向におけるスリット２８の両側部分が異なった曲率に形成される。【選択図】図２
2008253822.tif 000002
【特許請求の範囲】
【請求項１】
手首の拍動部側に合致する湾曲面形状に形成され、且つ外側にマウント部を備えたカフスプリングと、
このカフスプリングを芯材として内包し、内側に空気袋が配設されると共に、手首に巻き付けられるカフ帯と、
上記カフスプリングの上記マウント部に取り付けられ、上記空気袋へ空気を送給する加圧ポンプを備えた血圧計本体と、を有する手首用血圧計において、
上記カフスプリングには、その軸方向の任意の位置に周方向に延びるスリットが形成され、当該カフスプリングの軸方向における上記スリットの両側部分が異なった曲率に形成されたことを特徴とする手首用血圧計。
【請求項２】
手首用血圧計のカフ帯の芯材として用いられるカフスプリングであって、板状弾性材を手首の拍動部側に合致する湾曲面形状に形成すると共に、その軸方向の任意の位置に周方向に延びるスリットを形成し、かつこのカフスプリングの軸方向における上記スリットの両側部分を異なった曲率に形成したことを特徴とするカフスプリング。
【請求項３】
請求項２に記載のカフスプリングを芯材として内包し、内側に空気袋が配設されると共に、手首に巻き付けられるカフ帯と、上記カフ帯と別個に設けられて上記カフ帯の空気袋へ空気を送給する加圧ポンプを備えた血圧計本体とを有することを特徴とする手首用血圧計。
【発明の詳細な説明】
【技術分野】
【０００１】
本発明は、手首に装着して血圧測定が可能な手首用血圧計及びその手首用血圧計のカフ帯の芯材として用いられるカフスプリングに関する。
【背景技術】
【０００２】
従来の血圧計は、一般的に、上腕にカフ帯を装着して血圧の測定を行うものが主流であったが、血圧の測定をオシロメトリック法で行う血圧計が実用に供されるに従い、特許文献１に記載の血圧計の如く、手首で血圧測定を行えるようにしたものが提案されている。
【０００３】
図５に示すように、この血圧計５０は、手首１００に巻き付けるカフ帯５２を血圧計本体５１に一体化したものである。カフ帯５２の内側に空気袋５４が配設され、血圧計本体５１から空気袋５４へ空気を送給してこれを膨張することにより、手首１００内を通る動脈（尺骨動脈１０１、橈骨動脈１０２）を圧迫し血圧を測定する。なお、図５中の符号１０４は腱、１０５は尺骨、１０６は橈骨をそれぞれ示す。
【特許文献１】特開平１１ー２９９７４８号
【発明の開示】
【発明が解決しようとする課題】
【０００４】
ところが、カフ帯５２の芯材として当該カフ帯５２に内包されたカフスプリング（クリップ板）５３は、尺骨動脈１０１、橈骨動脈１０２及び腱１０４が位置する手首１００の拍動部１０３側に合致する湾曲面形状に形成されている。従って、このカフスプリング５３を手首１００の拍動部１０３側に合致させた状態で、カフ帯５２を手首１００に巻き付け、血圧計本体５１から空気袋５４へ空気を送給してこの空気袋５４を膨張させたとき、この空気袋５４の膨張部分が尺骨動脈１０１及び橈骨動脈１０２の近傍に形成されず、これらの尺骨動脈１０１及び橈骨動脈１０２を良好に圧迫できない場合があり、この場合には、血圧を高精度に測定できない恐れがある。
【０００５】
従来の他の血圧計には、カフ帯の空気袋がカフスプリングの周方向中央位置において二分され、それぞれの空気袋へ空気を送給して、各空気袋の膨張部分が尺骨動脈１０１、橈骨動脈１０２を個別に圧迫するものもある。しかし、この場合には、空気袋が分離されているので、カフ帯を手首１００に巻き付けにくいなどの問題点がある。
【０００６】
また、図５における従来の血圧計５０では、カフ帯５２内のカフスプリング５３は、周方向の一部が切除された断面楕円弧形状の略楕円筒体であり、このカフスリング５３の曲率は、当該カフスリング５３の軸方向において一定である。これに対し、カフ帯５２が巻き付けられる手首１００は、手側から腕側へ向かって徐々に太くなるため、上記カフスプリング５３を内包したカフ帯５２を手首１００に巻き付けたとき、カフスプリング５３が手首１００に適合（フィット）せず、カフ帯５２が手首１００の長手方向及び周方向にずれ易い。従って、この場合にも、血圧計５０による血圧の測定が不安定となり、血圧の測定精度が低下してしまう。
【０００７】
本発明の目的は、上述の事情を考慮してなされたものであり、血圧の測定精度を向上できる手首用血圧計及びその手首用血圧計のカフ帯の芯材として用いられるカフスプリングを提供することにある。
【課題を解決するための手段】
【０００８】
本発明の第１の態様は、手首の拍動部側に合致する湾曲面形状に形成され、且つ外側に
マウント部を備えたカフスプリングと、このカフスプリングを芯材として内包し、内側に空気袋が配設されると共に、手首に巻き付けられるカフ帯と、上記カフスプリングの上記マウント部に取り付けられ、上記空気袋へ空気を送給する加圧ポンプを備えた血圧計本体と、を有する手首用血圧計において、上記カフスプリングには、その周方向略中央位置に内側へ突出する突出部が形成されたことを特徴とするものである。
【０００９】
本発明の第２の態様は、手首の拍動部側に合致する湾曲面形状に形成され、且つ外側にマウント部を備えたカフスプリングと、このカフスプリングを芯材として内包し、内側に空気袋が配設されると共に、手首に巻き付けられるカフ帯と、上記カフスプリングの上記マウント部に取り付けられ、上記空気袋へ空気を送給する加圧ポンプを備えた血圧計本体と、を有する手首用血圧計において、上記カフスプリングには、その軸方向の任意の位置に周方向に延びるスリットが形成され、当該カフスプリングの軸方向における上記スリットの両側部分が異なった曲率に形成されたことを特徴とするものである。
【００１０】
本発明の第３の態様は、手首の拍動部側に合致する湾曲面形状に形成され、且つ外側にマウント部を備えたカフスプリングと、このカフスプリングを芯材として内包し、内側に空気袋が配設されると共に、手首に巻き付けられるカフ帯と、上記カフスプリングの上記マウント部に取り付けられ、上記空気袋へ空気を送給する加圧ポンプを備えた血圧計本体と、を有する手首用血圧計において、上記カフスプリングには、その周方向略中央位置に内側へ突出する突出部が形成され、更に、当該カフスプリングには、その軸方向の任意の位置に周方向に延びるスリットが形成され、当該カフスプリングの軸方向における上記スリットの両側部分が異なった曲率に形成されたことを特徴とするものである。
【００１１】
本発明の第４の態様は、第１又は第３の態様に記載の発明において、上記カフスプリングには、突出部を補強する補強リブが、当該突出部に一体に設けられたことを特徴とするものである。
本発明の第５の態様は、手首用血圧計のカフ帯の芯材として用いられるカフスプリングであって、板状弾性材を手首の拍動部側に合致する湾曲面形状に形成すると共に、その周方向略中央位置に内側へ突出する突出部を設けたことを特徴とするものである。
【００１２】
本発明の第６の態様は、手首用血圧計のカフ帯の芯材として用いられるカフスプリングであって、板状弾性材を手首の拍動部側に合致する湾曲面形状に形成すると共に、その軸方向の任意の位置に周方向に延びるスリットを形成し、かつこのカフスプリングの軸方向における上記スリットの両側部分を異なった曲率に形成したことを特徴とするものである。
【００１３】
本発明の第７の態様は、第５又は第６の態様に記載のカフスプリングを芯材として内包し、内側に空気袋が配設されると共に、手首に巻き付けられるカフ帯と、上記カフ帯と別個に設けられて上記カフ帯の空気袋へ空気を送給する加圧ポンプを備えた血圧計本体とを有することを特徴とするものである。
【発明の効果】
【００１４】
本発明の第１又は第３の態様によれば、加圧ポンプを備えた血圧計本体をマウント部に取り付けると共に、手首に巻き付けられるカフ帯の芯材となる湾曲面形状のカフスプリングには、その周方向略中央位置に内側へ突出する突出部が形成されたことから、この突出部は、カフスプリングを手首の拍動部側に適正に合致させた状態でカフ帯を手首に巻き付けたとき、カフスプリングの周方向において、手首の拍動部内を通る２本の動脈のそれぞれに対応する位置間に位置付けられる。このため、血圧計本体の加圧ポンプからカフ帯の空気袋へ空気を送給したときに、この空気袋は、カフスプリングの周方向において突出部を避け、この突出部を境とする両側部分が適切に膨張するので、この膨張部分により手首
の２本の動脈のそれぞれを効果的に圧迫でき、血圧の測定精度を向上させることができる。
【００１５】
本発明の第２又は第３の態様によれば、カフスプリングには、その軸方向の任意の位置に、周方向に延びるスリットが形成され、当該カフスプリングの軸方向における上記スリットの両側部分が異なった曲率に形成されたことから、太さが徐々に変化する手首周囲にカフスプリングを適合（フィット）させることができるので、カフ帯を手首に巻き付けたとき、このカフ帯と手首との隙間を低減できる。この結果、カフ帯が手首の長手方向及び周方向にずれることを防止できるため、血圧の測定を安定化でき、血圧の測定精度を向上させることができる。
【００１６】
本発明の第４の態様によれば、カフスプリングには、突出部を補強する補強リブが当該突出部に一体に設けられたことから、この突出部の剛性が高まる。このため、突出部の変形を防止できる他、カフスプリングの周方向において突出部の両側に形成される空気袋の膨張部分が手首の動脈に作用する圧力が、より一層効果的なものとなる。
【００１７】
本発明の第５〜第６の態様によれば、第１又は第３の態様に記載の手首用血圧計に用いるカフスプリングを得ることができる。また、本発明の第７の態様に記載の発明によれば、カフ帯と本体とを別体にした手首用血圧計を得ることができる。
【発明を実施するための最良の形態】
【００１８】
以下、本発明を実施するための最良の形態を、図面に基づき説明する。
【００１９】
図１は、本発明に係る手首用血圧計の一実施の形態を示す斜視図である。図２は、図１のII‐II線に沿う断面図である。
【００２０】
図１に示す手首用血圧計１０は、血圧計本体１１にカフ帯１２が取り付けられたものであり、手首１にカフ帯１２を巻き付けることで、血圧計本体１１を手首１に装着し、オシロメトリック法を用いて手首１で血圧の測定を実施するものである。この手首用血圧計１０は、上記血圧計本体１１、上記カフ帯１２及びカフスプリング１３を有して構成される。
【００２１】
ここで、手首１の内部には、図２に示すように、尺骨２と橈骨３が並行して通る他、尺骨動脈５と橈骨動脈６も並行して通っている。これらの尺骨動脈５及び橈骨動脈６は、手首１において尺骨２及び橈骨３の片側、つまり手首１の拍動部４内に間隔をおいて位置付けられている。更に、この手首１の拍動部４内には、複数本の腱７が、尺骨動脈５と橈骨動脈６との間に位置付けられて通っている。
【００２２】
さて、上記血圧計本体１１は、図１に示すように、開口部が互いに接合される上ケース１４と下ケース１５内に、図示しない加圧ポンプ、減圧制御弁、圧力センサ、及びこれらを制御する制御手段など、血圧測定のための主要機構が収納されている。また、上ケース１４の上面に、液晶式の表示部１６、各種のスイッチ類１７が配置される。更に、血圧計本体１１の側方にバッテリ一１８が装着される。上記表示部１６に、測定された血圧や脈拍などが例えばデジタル表示される。
【００２３】
上記カフ帯１２は、図１及び図２に示すように、後に詳説する湾曲面形状のカフスプリング１３を芯材として内包し、内側に空気袋１９が配設される。このカフ帯１２は手首１に巻き付けられ、内側に設けられた面ファスナ２０を用いて、手首１に巻き付けられて固定される。カフ帯１２が手首１に巻き付けられて固定された状態で、血圧計本体１１の加圧ポンプからカフ帯１２の空気袋１９へ空気が送給されて、手首１が空気圧により圧迫さ
れる。
【００２４】
上記カフスプリング１３は、図２、図３及び図４に示すように、可撓性を備えた合成樹脂などにて構成され、手首１の拍動部４側の少なくとも半周に合致する湾曲面形状に成形される。つまり、このカフスプリング１３は、周方向の一部が切除された切除部２１を有する断面楕円弧形状の略楕円筒体であり、切除部２１を拡げることで拡径され、切除部２１を狭めることで縮径可能に設けられる。
【００２５】
このカフスプリング１３の外周側には、切除部２１に対向する周方向略中央位置にマウント部２２が形成される。このマウント部２２は複数本の係止爪２３とねじ止め片２４とを備えて成り、これらの係止爪２３及びねじ止め片２４は、カフスプリング１３から切り起こされて、このカフスプリング１３に一体に成形される。血圧計本体１１の下ケース１５に係止爪２３が係止され、ねじ止め片２４がねじ止めされることで、血圧計本体１１がカフスプリング１３のマウント部２２に取り付けられる。また、マウント部２２には開口２５が形成される。この開口２５内に、血圧計本体１１の加圧ポンプとカフ帯１２の空気袋１９とを連通する連通管（不図示）が挿通される。
【００２６】
また、このカフスプリング１３には、切除部２１に対向する周方向略中央位置に、内側へ突出する例えばアーチ形状の突出部２６が、カフスプリング１３の軸方向に沿う全長に形成される。この突出部２６は、図２に示すように、当該突出部２６を手首１の拍動部４における腱７に対向する位置に位置付けてカフスプリング１３を手首１の拍動部４側に適正に合致させ、この状態でカフ帯１２を手首１に巻き付けたとき、カフスプリング１３の周方向において、手首１の拍動部４における尺骨動脈５と橈骨動脈６にそれぞれ対応する位置間の略中央位置に位置付けられる。これにより、カフ帯１２の空気袋１９へ空気が送給されたとき、この空気袋１９は、カフスプリング１３の周方向において突出部２６を避け、この突出部２６を境とする両側部分で、図２の二点鎖線に示すように適切に膨張し、手首１内で腱７の両側にある尺骨動脈５及び橈骨動脈６を効果的に圧迫する。
【００２７】
カフスプリング１３の外周側におけるマウント部２２領域内には、突出部２６の外側に補強リブ２７が、当該突出部２６に一体に成形される。この補強リブ２７は、図３及び図４に示すように、カフスプリング１３の軸方向に所定間隔で複数枚設けられて突出部２６を補強し、この突出部２６の剛性を増大させる。
【００２８】
更に、略楕円筒形状のカフスプリング１３には、その軸方向の任意の位置、本実施の形態では軸方向中央位置に、切除部２１からマウント部２２まで周方向に延びるスリット２８が、図４において左右対称に形成される。カフスプリング１３のマウント部２２及び突出部２６を除く部分は、これらのスリット２８によって、手側分割部分２９と腕側分割部分３０とに軸方向に分割され、これらの分割部分の曲率が異なって構成される。つまり、腕側分割部分３０の曲率Ｒｂは、手側分割部分２９の曲率Ｒａよりも大きく構成される。これにより、カフ帯１２を手首１に巻き付けたとき、手首１が手側から腕側へ徐々に太くなっていても、カフ帯１２のカフスプリング１３は、手首１の太さの変化に追従し、この手首１に適合（フィット）して、カフスプリング１３、つまりカフ帯１２と手首１との隙間が低減される。
【００２９】
次に、作用説明する。
【００３０】
カフ帯１２を手首１に巻き付け、面ファスナ２０を用いてカフ帯１２を固定する。このとき、カフ帯１２内のカフスプリング１３における突出部２６を手首１の拍動部４側の腱７に対向して位置付け、カフスプリング１３を手首１の拍動部４側に適正に合致させた状態とする。そして、掌を上にして手を軽く開き、肘を机などの上面について手首１を心臓
の高さとし、血圧計本体１１のスイッチ類１７をオン操作する。
【００３１】
すると、血圧計本体１１の加圧ポンプからカフ帯１２の空気袋１９へ空気が送給され、この空気袋１９が膨張する。この空気袋１９は、カフ帯１２内のカフスプリング１３の周方向において、その突出部２６の両側部分が適切に膨張し、これらの膨張部分が、手首１内で腱７の両側にある尺骨動脈５及び橈骨動脈７を効果的に圧迫する。この状態から所定の経過で、血圧計本体１１の圧力センサなどにより血圧が測定され、測定結果が血圧計本体１１の表示部１６に表示される。
【００３２】
上述のように構成されたことから、上記実施の形態によれば次の効果（１）〜（４）を奏する。
【００３３】
（１）手首１に巻き付けられるカフ帯１２の芯材となる湾曲面形状のカフスプリング１３には、その周方向略中央位置に内側へ突出する突出部２６が形成されたことから、この突出部２６は、当該突出部２６を手首１の拍動部４側の腱７に対向させてカフスプリング１３を手首１の拍動部４側に適正に合致させ、この状態でカフ帯１２を手首１に巻き付けたとき、カフスプリング１３の周方向において、手首１の拍動部４内を通る尺骨動脈５と橈骨動脈６のそれぞれに対応する位置間の略中央位置に位置付けられる。このため、血圧計本体１１の加圧ポンプからカフ帯１２の空気袋１９へ空気を送給したときに、この空気袋１９は、カフスプリング１３の周方向において突出部２６を避け、この突出部２６を境とする両側部分が適切に膨張するので、この膨張部分により手首１において腱７の両側に位置する尺骨動脈５及び橈骨動脈６のそれぞれを効果的に圧迫でき、血圧の測定精度を向上させることができる。
【００３４】
（２）カフ帯１２内のカフスプリング１３には、その周方向略中央位置に内側へ突出する突出部２６が形成されたことから、この突出部２６を手首１の拍動部４内の腱７に対向させてカフスプリング１３を手首１の拍動部４側に合致させることで、手首１の腱７が存在する特定部位に突出部２６の接触感を与えることができる。これにより、カフ帯１２を手首１に巻き付けたときに、カフスプリング１３の突出部２６が手首１の腱７に対向して当該カフスプリング１３が手首１の拍動部４側に適正に位置付けられたことを確認できるので、カフ帯１２の空気袋１９の膨張による手首１の尺骨動脈５及び橈骨動脈６の圧迫を最適化でき、血圧の測定が安定化して、血圧を正確に測定できる。
【００３５】
（３）カフスプリング１３には、突出部２６を補強する補強リブ２７が当該突出部２６に一体に設けられたことから、この突出部２６の剛性が高まる。このため、突出部２６の変形を防止できる他、カフスプリング１３の周方向において突出部２６の両側に形成される空気袋１９の膨張部分が手首１の尺骨動脈５及び橈骨動脈６に作用する圧力が、より一層効果的なものとなる。
【００３６】
（４）カフスプリング１３には、その軸方向の略中央位置に、切除部２１からマウント部２２まで周方向に延びるスリット２８が左右対称に形成され、当該カフスプリング１３の軸方向における上記スリット２８の両側の手側分割部分２９と腕側分割部分３０の曲率が、手側分割部分２９よりも腕側分割部分３０の方が大きく形成されたことから、手側から腕側へ向かって太さが徐々に増大する手首１周囲にカフスプリング１３を適合（フィット）させることができる。この結果が、カフ帯１２を手首１に巻き付けたとき、このカフ帯１２と手首１との隙間を低減でき、カフ帯１２が手首１の長手方向及び周方向にずれることを防止できるため、血圧の測定を安定化でき、血圧の測定精度をより一層向上させることができる。
【００３７】
以上、本発明を上記実施の形態に基づいて説明したが、本発明はこれに限定されるもの
ではない。
【００３８】
例えば、本実施の形態では、カフスプリング１３には、その軸方向の中央位置にスリット２８が設けられて、カフスプリング１３のマウント部２２及び突出部２６を除く部分が手側分割部分２９と腕側分割部分３０とに分割されるものを述べたが、このスリット２８は、カフスプリング１３の軸方向の複数位置にそれぞれ形成されて、カフスプリング１３のマウント部２２及び突出部２６を除く部分を軸方向に３分割以上に分割し、それぞれの分割部分の曲率を、手側から腕側へ向かい順次増大させてもよい。
【００３９】
また、上記実施の形態では、カフスプリング１３には突出部２６、補強リブ２７及びスリット２８が設けられたものを述べたが、突出部２６及び補強リブ２７が設けられてスリット２８が形成されないものであってもよく、または、スリット２８が形成されて突出部２６及び補強リブ２７が設けられないものであってもよい。
【００４０】
さらには、上述の実施の形態では、血圧計本体１１にカフ帯１２が取り付けられた例を示したが、これは、一般の血圧計のように、血圧計本体１１とカフ帯１２とを切り離して別体に形成してもよいことは勿論である。
【図面の簡単な説明】
【００４１】
【図１】本発明に係る手首用血圧計の一実施の形態を示す斜視図である。
【図２】図１のII‐II線に沿う断面図である。
【図３】図２のカフスプリングを示し、（Ａ）が平面図、（Ｂ）が側面図である。
【図４】図２のカフスプリングの斜視図である。
【図５】従来の手首用血圧計を示す断面図である。
【符号の説明】
【００４２】
１  手首
４  拍動部
５  尺骨動脈
６  橈骨動脈
１０  手首用血圧計
１１  血圧計本体
１２  カフ帯
１３  カフスプリング
１９  空気袋
２２  マウント部
２６  突出部
２７  補強リブ
２８  スリット
２９  手側分割部分
３０  腕側分割部分
【図１】
2008253822.tif 000003
【図２】
2008253822.tif 000004
【図３】
2008253822.tif 000005
【図４】
2008253822.tif 000006
【図５】
2008253822.tif 000007